【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、フォーカシングに際して移動する負の屈折力の第２レンズ群、第３レンズ群から構成され、フォーカシングに際して、隣り合うレンズ群の間隔が変化する光学系であって、
前記光学系は開口絞りを含み、
前記第１レンズ群は最も物体側に配置された正レンズＧ１Ｐを含む３枚以上の正レンズを有し、
前記光学系の最も物体側のレンズ面から像面までの光軸上の距離をＬＤ、前記光学系の焦点距離をｆ、前記正レンズＧ１Ｐの材料の屈折率をｎｄＧ１Ｐ、前記正レンズＧ１Ｐの材料のアッベ数をνｄＧ１Ｐとするとき、
ＬＤ／ｆ＜１．０
１．５８＜ｎｄＧ１Ｐ＜１．８
５０＜νｄＧ１Ｐ＜７５
なる条件式を満足することを特徴とする光学系。
【請求項２】
前記正レンズＧ１Ｐの材料の部分分散比をθｇＦＧ１Ｐとするとき、
０．５３４＜θｇＦＧ１Ｐ＜０．５６０
なる条件式を満足することを特徴とする請求項１に記載の光学系。
【請求項３】
前記正レンズＧ１Ｐの焦点距離をｆＧ１Ｐ、前記第１レンズ群の焦点距離をｆ１とするとき、
０．４０＜ｆＧ１Ｐ／ｆ１＜１．５
なる条件式を満足することを特徴とする請求項１又は２に記載の光学系。
【請求項４】
前記正レンズＧ１Ｐの物体側のレンズ面の曲率半径をＲ１Ｇ１Ｐ、前記正レンズＧ１Ｐの像側のレンズ面の曲率半径をＲ２Ｇ１Ｐとするとき、
０．７＜（Ｒ２Ｇ１Ｐ＋Ｒ１Ｇ１Ｐ）／（Ｒ２Ｇ１Ｐ−Ｒ１Ｇ１Ｐ）＜５．５
なる条件式を満足することを特徴とする請求項１乃至３いずれか１項に記載の光学系。
【請求項５】
前記第１レンズ群の焦点距離をｆ１、前記第２レンズ群の焦点距離をｆ２とするとき、
−２．８＜ｆ１／ｆ２＜−１．２
なる条件式を満足することを特徴とする請求項１乃至４のいずれか１項に記載の光学系。
【請求項６】
前記第１レンズ群は複数の負レンズを有し、前記第１レンズ群に含まれる負レンズのうち、最も物体側に位置する負レンズＧ１Ｎの材料のアッベ数をνｄＧ１Ｎ、前記負レンズＧ１Ｎの材料の部分分散比をθｇＦＧ１Ｎとするとき、
２４＜νｄＧ１Ｎ＜４５
０．５８＜θｇＦＧ１Ｎ＜０．５９５
なる条件式を満足することを特徴とする請求項１乃至５のいずれか１項に記載の光学系。
【請求項７】
前記負レンズＧ１Ｎの物体側のレンズ面の曲率半径をＲ１Ｇ１Ｎ、前記負レンズＧ１Ｎの像側のレンズ面をＲ２Ｇ１Ｎとするとき、
−１．０＜（Ｒ２Ｇ１Ｎ＋Ｒ１Ｇ１Ｎ）／（Ｒ２Ｇ１Ｎ−Ｒ１Ｇ１Ｎ）＜−０．１
なる条件式を満足することを特徴とする請求項６に記載の光学系。
【請求項８】
前記正レンズＧ１Ｐの像側のレンズ面から前記負レンズＧ１Ｎの物体側のレンズ面までの距離をｄＰＮとするとき、
０．１７＜ｄＰＮ／ｆ＜０．４５
なる条件式を満足することを特徴とする請求項６または７に記載の光学系。
【請求項９】
前記正レンズＧ１Ｐの焦点距離をｆＧ１Ｐ、前記負レンズＧ１Ｎの焦点距離をｆＧ１Ｎとするとき、
１．５＜｜ｆＧ１Ｐ／ｆＧ１Ｎ｜＜３．０
なる条件式を満足することを特徴とする請求項６乃至８のいずれか１項に記載の光学系。
【請求項１０】
前記第１レンズ群の焦点距離をｆ１とするとき、
０．３＜ｆ１／ｆ＜０．７
なる条件式を満足することを特徴とする請求項１乃至９のいずれか１項に記載の光学系。
【請求項１１】
前記正レンズＧ１Ｐのヌープ硬度をＨＫＧ１Ｐとするとき、
３５０＜ＨＫＧ１Ｐ＜５００
なる条件式を満足することを特徴とする請求項１乃至１０のいずれか１項に記載の光学系。
【請求項１２】
前記第２レンズ群の像側のレンズ面から像面までの光軸上の距離ｄＦ２とするとき、
０．２＜ｄＦ２／ＬＤ＜０．５
なる条件式を満足することを特徴とする請求項１乃至１１のいずれか１項に記載の光学系。
【請求項１３】
前記第３レンズ群は、物体側から像側へ順に配置された、第１部分群、第２部分群、第３部分群を有し、前記第１部分群と前記第３部分群はフォーカシング及び像ぶれの補正に際して不動であり、前記第２部分群は像ぶれの補正に際して光軸に対し垂直方向の成分を含む方向に移動することを特徴とする請求項１乃至１１のいずれか１項に記載の光学系。
【請求項１４】
前記第３レンズ群は、フォーカシングに際して不動であることを特徴とする請求項１乃至１３のいずれか１項に記載の光学系。
【請求項１５】
前記開口絞りは、前記第１レンズ群の最も像側に配置されていることを特徴とする請求項１乃至１４のいずれか１項に記載の光学系。
【請求項１６】
開口絞りと、
最も物体側に配置された正レンズＧ１Ｐを含む、前記開口絞りの物体側に配置された３枚以上の正レンズと、を有する光学系であって、
前記光学系の最も物体側のレンズ面から像面までの光軸上の距離をＬＤ、前記光学系の焦点距離をｆ、前記正レンズＧ１Ｐの材料の屈折率をｎｄＧ１Ｐ、前記正レンズＧ１Ｐの材料のアッベ数をνｄＧ１Ｐとするとき、
ＬＤ／ｆ＜１．０
１．５８＜ｎｄＧ１Ｐ＜１．８
５０＜νｄＧ１Ｐ＜７５
なる条件式を満足することを特徴とする光学系。
【請求項１７】
前記正レンズＧ１Ｐの材料の部分分散比をθｇＦＧ１Ｐとするとき、
０．５３４＜θｇＦＧ１Ｐ＜０．５６０
なる条件式を満足することを特徴とする請求項１６に記載の光学系。
【請求項１８】
前記正レンズＧ１Ｐの物体側のレンズ面の曲率半径をＲ１Ｇ１Ｐ、前記正レンズＧ１Ｐの像側のレンズ面の曲率半径をＲ２Ｇ１Ｐとするとき、
０．７＜（Ｒ２Ｇ１Ｐ＋Ｒ１Ｇ１Ｐ）／（Ｒ２Ｇ１Ｐ−Ｒ１Ｇ１Ｐ）＜５．５
なる条件式を満足することを特徴とする請求項１６または１７に記載の光学系。
【請求項１９】
前記正レンズＧ１Ｐのヌープ硬度をＨＫＧ１Ｐとするとき、
３５０＜ＨＫＧ１Ｐ＜５００
なる条件式を満足することを特徴とする請求項１６乃至１８のいずれか１項に記載の光学系。
【請求項２０】
６３．４≦νｄＧ１Ｐ＜７５
なる条件式を満足することを特徴とする請求項１乃至１９のいずれか１項に記載の光学系。
【請求項２１】
請求項１乃至２０のいずれか１項に記載の光学系と該光学系によって形成された像を受光する撮像素子を有することを特徴とする撮像装置。
【手続補正２】
【補正対象書類名】明細書
【補正対象項目名】０００８
【補正方法】変更
【補正の内容】
【０００８】
本発明の光学系は、物体側より像側へ順に配置された、正の屈折力の第１レンズ群、フォーカシングに際して移動する負の屈折力の第２レンズ群、第３レンズ群から構成され、フォーカシングに際して、隣り合うレンズ群の間隔が変化する光学系であって、
前記光学系は開口絞りを含み、
前記第１レンズ群は最も物体側に配置された正レンズＧ１Ｐを含む３枚以上の正レンズを有し、
前記光学系の最も物体側のレンズ面から像面までの光軸上の距離をＬＤ、前記光学系の焦点距離をｆ、前記正レンズＧ１Ｐの材料の屈折率をｎｄＧ１Ｐ、前記正レンズＧ１Ｐの材料のアッベ数をνｄＧ１Ｐとするとき、
ＬＤ／ｆ＜１．０
１．５８＜ｎｄＧ１Ｐ＜１．８
５０＜νｄＧ１Ｐ＜７５
なる条件式を満足することを特徴としている。
また、本発明の他の光学系は、開口絞りと、最も物体側に配置された正レンズＧ１Ｐを含む、前記開口絞りの物体側に配置された３枚以上の正レンズと、を有する光学系であって、前記光学系の最も物体側のレンズ面から像面までの光軸上の距離をＬＤ、前記光学系の焦点距離をｆ、前記正レンズＧ１Ｐの材料の屈折率をｎｄＧ１Ｐ、前記正レンズＧ１Ｐの材料のアッベ数をνｄＧ１Ｐとするとき、
ＬＤ／ｆ＜１．０
１．５８＜ｎｄＧ１Ｐ＜１．８
５０＜νｄＧ１Ｐ＜７５
なる条件式を満足することを特徴としている。
【手続補正３】
【補正対象書類名】明細書
【補正対象項目名】００２９
【補正方法】変更
【補正の内容】
【００２９】
各実施例において更に好ましくは条件式（２）、（３）の数値範囲を次の如く設定するのが良い。
１．５８５＜ｎｄＧ１Ｐ＜１．７００        ・・・（２ａ）
５５＜νｄＧ１Ｐ＜７２                    ・・・（３ａ）
【手続補正４】
【補正対象書類名】明細書
【補正対象項目名】００３０
【補正方法】変更
【補正の内容】
【００３０】
更に好ましくは条件式（２ａ）及び（３ａ）の数値範囲を次の如く設定するのが良い。１．５９＜ｎｄＧ１Ｐ＜１．６５            ・・・（２ｂ）
５８＜νｄＧ１Ｐ＜７０                    ・・・（３ｂ）